(57)【要約】      （修正有）【課題】貯湯タンク内において高温水の層と中温水の層との境界層が破壊されるのを防止する。【解決手段】ヒートポンプ給湯機では、排熱利用給湯運転開始後、冷房出力及び沸上出力が徐々に増大する。これに対応して、ポンプ制御部の制御により沸上ポンプのポンプ流量が増大する。前記ポンプ流量が所定流量に到達した後は、目標沸上温度Ｔｂｏが所定値△Ｔだけ増大補正され、沸上温度Ｔｂが４８℃まで増大するまでの間は前記ポンプ流量は略一定すなわち前記所定流量に保たれる。この結果、配管を介し貯湯タンク内に戻る中温水の速度に一定の上限値を設けることができるので、貯湯タンク内における、高温水の層と前記中温水の層との間の境界層が破壊されるのが防止される。【選択図】図１０
2020063887.tif 000002
【特許請求の範囲】
【請求項１】
冷媒と水との熱交換を行う、凝縮器として機能する水冷媒熱交換器と、
前記冷媒と室内空気との熱交換を行う、蒸発器として機能する室内熱交換器と、
前記水冷媒熱交換器及び前記室内熱交換器に接続される圧縮機と、
湯水を貯湯する貯湯タンクと、
を有し、
前記水冷媒熱交換器の水側と前記貯湯タンクとを湯水配管で環状に接続して湯水循環回路を形成し、
前記水冷媒熱交換器の冷媒側と、前記圧縮機と、前記室内熱交換器とを、冷媒配管で接続して冷媒循環回路を形成し、
前記圧縮機の吐出側に対し前記水冷媒熱交換器の入口側を連通するとともに、前記圧縮機の吸入側に出口側が連通された前記室内熱交換器の入口側に対し、前記水冷媒熱交換器の出口側を連通し、前記水冷媒熱交換器にて加温された湯水を前記貯湯タンクへ給湯する給湯処理を行う、冷房排熱貯湯装置において、
前記水冷媒熱交換器の水側から前記湯水配管へ流出する湯水の実沸上温度を検出する沸上温度検出手段と、
前記湯水配管内に前記湯水を循環させる循環ポンプと、
前記沸上温度検出手段により検出された実沸上温度と、予め定められた目標沸上温度との偏差に応じて、前記循環ポンプの回転数を増減するポンプ制御手段と、
を有し、
前記湯水循環回路は、
前記貯湯タンクの上下方向中間部に接続され、当該貯湯タンク内へ湯水を戻す戻し管
を備えており、
前記ポンプ制御手段は、
前記給湯処理の開始後、前記循環ポンプのポンプ流量が予め定められた所定流量となるまでの間、当該循環ポンプの回転数を増大させることにより、前記沸上温度検出手段により検出される前記実沸上温度が前記目標沸上温度となるように制御する、回転数増大処理；
前記ポンプ流量が前記所定流量となった後に前記目標沸上温度を増大補正しつつ、前記ポンプ流量を一定に保つように制御する、流量一定化処理；
を実行する
ことを特徴とする冷房排熱貯湯装置。
【請求項２】
前記流量一定化処理は、
前記実沸上温度を増大させつつ、前記ポンプ流量を略一定に保つ第１処理期間と、
前記第１処理期間において前記実沸上温度が前記補正後の目標沸上温度となった後に、その状態で前記ポンプ流量を略一定に保つ第２処理期間と、
前記第２処理期間の後、前記実沸上温度を減少させつつ、前記ポンプ流量を略一定に保つ第３処理期間と、
を含む
ことを特徴とする請求項１記載の冷房排熱貯湯装置。
【請求項３】
前記ポンプ制御手段は、
前記流量一定化処理において前記実沸上温度が低下し前記増大補正を行う前の前記目標沸上温度に到達したら、前記循環ポンプの回転数を減少させることにより、前記沸上温度検出手段により検出される前記実沸上温度が前記目標沸上温度となるように制御する、回転数減少処理
を実行する
ことを特徴とする請求項１または請求項２記載の冷房排熱貯湯装置。
【請求項４】
前記ポンプ制御手段は、
前記循環ポンプによる実際の前記ポンプ流量を決定する流量決定手段を備え、
前記回転数増大処理では、
前記流量決定手段が決定する前記ポンプ流量が前記所定流量となるまでの間、前記循環ポンプの回転数を増大させ、
前記流量一定化処理では、
前記流量決定手段が決定する前記ポンプ流量を一定に保つように制御する
ことを特徴とする請求項１乃至請求項３の何れか１項に記載の冷房排熱貯湯装置。
【請求項５】
前記流量決定手段は、
前記循環ポンプに設けられる回転数センサ、若しくは、
前記湯水配管に設けられる流量センサ
を含む
ことを特徴とする請求項４記載の冷房排熱貯湯装置。
【請求項６】
前記ポンプ制御手段は、
前記循環ポンプによる実際の前記ポンプ流量の上限を前記所定流量に制限する流量制限手段を備え、
前記回転数増大処理では、
前記流量制限手段が制限している状態の前記ポンプ流量が前記所定流量となるまでの間、前記循環ポンプの回転数を増大させ、
前記流量一定化処理では、
前記流量制限手段によって前記ポンプ流量を一定に保つように制御する
ことを特徴とする請求項１乃至請求項３の何れか１項に記載の冷房排熱貯湯装置。
【請求項７】
前記流量制限手段は、
前記湯水配管に設けられる定流量弁である
ことを特徴とする請求項６記載の冷房排熱貯湯装置。
【請求項８】
前記圧縮機に対し前記水冷媒熱交換器と並列に接続され、前記冷媒と外気との熱交換を行うヒートポンプ熱交換器と、
前記圧縮機の吐出側に対し前記ヒートポンプ熱交換器の入口側を連通するとともに前記室内熱交換器の入口側に対し前記ヒートポンプ熱交換器の出口側を連通する大気排熱冷房モードと、前記圧縮機の吐出側に対し前記水冷媒熱交換器の入口側を連通するとともに前記室内熱交換器の入口側に対し前記水冷媒熱交換器の出口側を連通して前記給湯処理を行う排熱利用冷房モード、とを切替可能なモード切替手段と、
を設けたことを特徴とする請求項１乃至請求項７の何れか１項に記載の冷房排熱貯湯装置。
【発明の詳細な説明】
【技術分野】
【０００１】
この発明は、貯湯タンク内の湯水を加温する、冷房排熱貯湯装置に関するものである。
【背景技術】
【０００２】
従来より、貯湯式給湯機として、特許文献１記載のように、高温沸き上げ用ヒートポンプ装置と中温沸き上げ用ヒートポンプ装置とを備え、高温沸き上げ用ヒートポンプ装置からの高温水を貯湯タンクの上部に供給する一方、中温沸き上げ用ヒートポンプ装置からの中温水を貯湯タンクの上下方向中間部に供給するものがあった。温度が低い前記中温水を貯湯タンクの前記上部ではなく前記中間部に戻すことにより、例えばふろの追い焚き等に利用される、前記貯湯タンク内上部にある前記高温水の層を壊さないようにすることができる。
【先行技術文献】
【特許文献】
【０００３】
【特許文献１】特開２００９−００２５８５号公報
【発明の概要】
【発明が解決しようとする課題】
【０００４】
前記従来技術の構成において、前記中温沸き上げ用ヒートポンプに代えて、冷房運転時の排熱を利用して貯湯タンク内の湯水を加温することが考えられる。すなわちこの場合、室内熱交換器と水冷媒熱交換器の冷媒側とを接続して冷媒循環回路を構成するとともに、前記水冷媒熱交換器の水側と貯湯タンクとを接続して湯水循環回路を構成する。これにより、冷房運転時に前記室内熱交換器から吸熱した熱を水冷媒熱交換器において前記水側へ放熱し、前記貯湯タンクへの湯水を沸き上げて加温することができる。
【０００５】
ここで、前記のように冷房排熱を利用した湯水の加温（前記中温水への沸き上げ）を行う場合には、通常、前記湯水循環回路の循環ポンプの回転数が、適宜の検出手段により検出される湯水の実沸上温度を前記目標沸上温度に一致させるように、フィードバック制御される。この結果、前記冷媒循環回路側の出力（冷房出力）が大きくなると、前記実沸上温度を前記目標沸上温度に維持するために前記循環ポンプの回転数は高くなり、湯水の流量が大きくなって前記湯水循環回路における出力（沸上出力）は増大する。前記冷房出力が小さくなると、前記実沸上温度を維持するために前記循環ポンプの回転数は低くなり、前記沸上出力も減少する。
【０００６】
このように前記沸上出力が前記冷房出力に連動して増減すると、前記冷房出力がある程度大きくなった場合に、前記沸上出力も大きくなって前記中温水の流量が増大する。この結果、前記中温水が比較的速い速度で前記貯湯タンク内に戻されることとなり、貯湯タンク内において上部の前記高温水の層と中間部の前記中温水の層との境界層を破壊してしまうおそれがあるという問題があった。
【課題を解決するための手段】
【０００７】
上記課題を解決するために、本発明の請求項１では、冷媒と水との熱交換を行う、凝縮器として機能する水冷媒熱交換器と、前記冷媒と室内空気との熱交換を行う、蒸発器として機能する室内熱交換器と、前記水冷媒熱交換器及び前記室内熱交換器に接続される圧縮機と、湯水を貯湯する貯湯タンクと、を有し、前記水冷媒熱交換器の水側と前記貯湯タンクとを湯水配管で環状に接続して湯水循環回路を形成し、前記水冷媒熱交換器の冷媒側と、前記圧縮機と、前記室内熱交換器とを、冷媒配管で接続して冷媒循環回路を形成し、前記圧縮機の吐出側に対し前記水冷媒熱交換器の入口側を連通するとともに、前記圧縮機の吸入側に出口側が連通された前記室内熱交換器の入口側に対し、前記水冷媒熱交換器の出口側を連通し、前記水冷媒熱交換器にて加温された湯水を前記貯湯タンクへ給湯する給湯処理を行う、冷房排熱貯湯装置において、前記水冷媒熱交換器の水側から前記湯水配管へ流出する湯水の実沸上温度を検出する沸上温度検出手段と、前記湯水配管内に前記湯水を循環させる循環ポンプと、前記沸上温度検出手段により検出された実沸上温度と、予め定められた目標沸上温度との偏差に応じて、前記循環ポンプの回転数を増減するポンプ制御手段と、を有し、前記湯水循環回路は、前記貯湯タンクの上下方向中間部に接続され、当該貯湯タンク内へ湯水を戻す戻し管を備えており、前記ポンプ制御手段は、前記給湯処理の開始後、前記循環ポンプのポンプ流量が予め定められた所定流量となるまでの間、当該循環ポンプの回転数を増大させることにより、前記沸上温度検出手段により検出される前記実沸上温度が前記目標沸上温度となるように制御する、回転数増大処理；前記ポンプ流量が前記所定流量となった後に前記目標沸上温度を増大補正しつつ、前記ポンプ流量を一定に保つように制御する、流量一定化処理；を実行するものである。
【０００８】
また、請求項２では、前記流量一定化処理は、前記実沸上温度を増大させつつ、前記ポンプ流量を略一定に保つ第１処理期間と、前記第１処理期間において前記実沸上温度が前記補正後の目標沸上温度となった後に、その状態で前記ポンプ流量を略一定に保つ第２処理期間と、前記第２処理期間の後、前記実沸上温度を減少させつつ、前記ポンプ流量を略一定に保つ第３処理期間と、を含むものである。
【０００９】
また、請求項３では、前記ポンプ制御手段は、前記流量一定化処理において前記実沸上温度が低下し前記増大補正を行う前の前記目標沸上温度に到達したら、前記循環ポンプの回転数を減少させることにより、前記沸上温度検出手段により検出される前記実沸上温度が前記目標沸上温度となるように制御する、回転数減少処理を実行するものである。
【００１０】
また、請求項４では、前記ポンプ制御手段は、前記循環ポンプによる実際の前記ポンプ流量を決定する流量決定手段を備え、前記回転数増大処理では、前記流量決定手段が決定する前記ポンプ流量が前記所定流量となるまでの間、前記循環ポンプの回転数を増大させ、前記流量一定化処理では、前記流量決定手段が決定する前記ポンプ流量を一定に保つように制御するものである。
【００１１】
また、請求項５では、前記流量決定手段は、前記循環ポンプに設けられる回転数センサ、若しくは、前記湯水配管に設けられる流量センサを含むものである。
【００１２】
また、請求項６では、前記ポンプ制御手段は、前記循環ポンプによる実際の前記ポンプ流量の上限を前記所定流量に制限する流量制限手段を備え、前記回転数増大処理では、前記流量制限手段が制限している状態の前記ポンプ流量が前記所定流量となるまでの間、前記循環ポンプの回転数を増大させ、前記流量一定化処理では、前記流量制限手段によって前記ポンプ流量を一定に保つように制御するものである。
【００１３】
また、請求項７では、前記流量制限手段は、前記湯水配管に設けられる定流量弁である。
【００１４】
また、請求項８では、前記圧縮機に対し前記水冷媒熱交換器と並列に接続され、前記冷媒と外気との熱交換を行うヒートポンプ熱交換器と、前記圧縮機の吐出側に対し前記ヒートポンプ熱交換器の入口側を連通するとともに前記室内熱交換器の入口側に対し前記ヒートポンプ熱交換器の出口側を連通する大気排熱冷房モードと、前記圧縮機の吐出側に対し前記水冷媒熱交換器の入口側を連通するとともに前記室内熱交換器の入口側に対し前記水冷媒熱交換器の出口側を連通して前記給湯処理を行う排熱利用冷房モード、とを切替可能なモード切替手段と、を設けたものである。
【発明の効果】
【００１５】
この発明の請求項１によれば、前記圧縮機の吐出側に対し前記水冷媒熱交換器の入口側を連通するとともに、前記圧縮機の吸入側に出口側が連通された前記室内熱交換器の入口側に対し、前記水冷媒熱交換器の出口側が連通される。圧縮機から吐出された高温高圧の冷媒ガスが水冷媒熱交換器（凝縮器として機能）で放熱し凝縮して液体冷媒となり、その後室内熱交換器（蒸発器として機能）で蒸発することで空気から吸熱して圧縮機へと戻る。
【００１６】
一方このとき、前記水冷媒熱交換器の水側は、湯水配管を介して貯湯タンクと環状に接続され、湯水循環回路を構成している。前記のように圧縮機吐出側→水冷媒熱交換器→室内熱交換器→圧縮機吸入側の経路の冷凍サイクルが形成され、前記のようにして室内熱交換器（蒸発器として機能）において室内空気から吸熱した後に圧縮機から吐出された高温ガスの熱が、水冷媒熱交換器（凝縮器として機能）において前記水側に放熱される。これにより、前記熱交換により得た受熱を利用して、湯水配管を介した貯湯タンクへの湯水の加温（給湯処理）を行うことができる。
【００１７】
このとき、湯水配管には循環ポンプと沸上温度検出手段とが設けられている。前記循環ポンプの回転数は、ポンプ制御手段によって、前記沸上温度検出手段が検出する湯水の実沸上温度と所定の目標沸上温度との偏差に応じ、実沸上温度が目標沸上温度となるようにフィードバック制御される。この結果、前記冷凍サイクル側の出力（冷房出力）が大きくなると、実沸上温度を目標沸上温度に維持するために循環ポンプの回転数は高くなり、湯水の流量が大きくなって湯水配管における出力（沸上出力）は増大する。前記冷房出力が小さくなると、実沸上温度を維持するために循環ポンプの回転数は低くなり、前記沸上出力も減少する。
【００１８】
このとき、前記湯水循環回路には戻し管が設けられており、前記水冷媒熱交換器の水側からの湯水は、戻し管を介し、貯湯タンクの高さ方向中間部に戻される。これには、以下の意義がある。すなわち、前記のように前記沸上出力が前記冷房出力の大小に応じて増減することから、通常、冷房ＣＯＰを高く維持するために、湯水の前記目標沸上温度は比較的低く（例えば４５℃等。いわゆる中温水）設定される。このとき、貯湯タンク内の上部には、例えば上記の冷房排熱利用の前記給湯処理とは別に沸き上げられた、上記の温度よりも高い湯水（いわゆる高温水）が貯留されている。したがって、前記のように温度が相対的に低い中温水を貯湯タンク上部ではなく貯湯タンクの高さ方向中間部に戻すことにより、例えばふろの追い焚き等に利用される、前記貯湯タンク内上部にある前記高温水の層を壊さないようにすることができる。
【００１９】
ここで、前記のように前記沸上出力が前記冷房出力に連動して増減することから、冷房出力がある程度大きくなった場合に、前記沸上出力も大きくなって前記中温水の流量が増大する。この結果、前記中温水が比較的速い速度で前記貯湯タンク内に戻されてしまい、貯湯タンク内において上部の高温水の層と中間部の中温水の層との境界層を破壊してしまうおそれがある。
【００２０】
そこで、請求項１によれば、前記ポンプ制御手段が、回転数増大処理と流量一定化処理と、を実行する。すなわち、前記給湯処理の開始後、しばらくの間（循環ポンプの流量が前記所定流量となるまでの間）は、循環ポンプの回転数を徐々に増大させることにより、湯水の前記実沸上温度を、前記目標沸上温度となるように維持する（回転数増大処理）。
【００２１】
そして、ポンプ流量が前記所定流量となった後は、前記目標沸上温度を増大補正し、そのように増大補正された目標沸上温度までの前記実沸上温度の増大を許容する。これにより、前記ポンプ流量が前記所定流量に到達した後に冷房出力がさらに増大しても、それに対応する沸上出力の増大分を実沸上温度の上昇で吸収することで、前記ポンプ流量については当該所定流量のまま一定に保つことができる（流量一定化処理）。
【００２２】
この結果、戻し管を介し貯湯タンク内に戻る中温水の速度に一定の上限値を設けることができるので、貯湯タンク内における、前記高温水の層と前記中温水の層との間の境界層が破壊されるのを防止することができる。
【００２３】
また、請求項２によれば、例えば前記補正後の目標沸上温度を適宜に設定することで、ポンプ制御手段の前記流量一定化処理において、冷房出力が増大することで実沸上温度が増大していく期間（第１処理期間）、その後冷房出力が上げ止まって一定となり実沸上温度が目標沸上温度に到達した状態で運転されている期間（第２処理期間）、その後冷房出力が減少することで実沸上温度が減少していく期間（第３処理期間）の順で推移させ、それらの間、常にポンプ流量を略一定に保つことができる。
【００２４】
また、請求項３によれば、実沸上温度が前記増大補正前の目標沸上温度まで下がってきたら、もとの制御に戻り、循環ポンプの回転数を減少させつつ、前記実沸上温度がもとの（補正前の）前記目標沸上温度となるように制御する。これにより、前記流量一定化処理において（前記目標沸上温度の増大補正により）低下していた冷房ＣＯＰを元の所望の高い水準に復帰させることができる。
【００２５】
また、請求項４によれば、流量決定手段がポンプ流量を決定し、その決定したポンプ流量に基づいて、前記回転数増大処理及び前記流量一定化処理が行われる。これにより、目標沸上温度の増大補正後において、ポンプ流量を確実に一定に保つことができる。
【００２６】
また、請求項５によれば、回転数センサの流量決定（検出）結果、若しくは、流量センサの流量決定（検出）結果に基づき、前記回転数増大処理及び前記流量一定化処理を精度よく行うことができる。
【００２７】
また、請求項６によれば、流量制限手段による流量制限機能を利用して、前記回転数増大処理及び前記流量一定化処理が行われる。これにより、ポンプ流量を確実に一定に保つことができる。
【００２８】
また、請求項７によれば、定流量弁の定流量吐出機能を利用することで、高い信頼性にて前記回転数増大処理及び前記流量一定化処理を精度よく行うことができる。
【００２９】
また、請求項８によれば、冷房運転時を２つのモード（大気排熱冷房モード、排熱利用冷房モード）で行うことができる。前記排熱利用冷房モードでは、前記したような、圧縮機吐出側→水冷媒熱交換器→室内熱交換器→圧縮機吸入側の経路圧縮機吐出側→水冷媒熱交換器→室内熱交換器→圧縮機吸入側の経路での冷凍サイクルが実現される。
【００３０】
その一方、大気排熱冷房モードでは、前記圧縮機の吐出側に対しヒートポンプ熱交換器の入口側を連通するとともに、前記圧縮機の吸入側に出口側が連通された前記室内熱交換器としての室内熱交換器の入口側に対し、前記ヒートポンプ熱交換器の出口側を連通する。この場合、圧縮機から吐出された高温高圧の冷媒ガスがヒートポンプ熱交換器（凝縮器として機能）で外気へ放熱し凝縮して液体冷媒となり、その後室内熱交換器（蒸発器として機能）で蒸発することで室内空気から吸熱して圧縮機へと戻る、通常の冷房運転を実現することができる。
【図面の簡単な説明】
【００３１】
【図１】本発明の実施の一形態における冷房排熱貯湯装置全体の回路構成図
【図２】室外機制御部の機能的構成図
【図３】熱交換制御部の機能的構成図
【図４】室内機制御部の機能的構成図
【図５】貯湯制御部の機能的構成図
【図６】ヒーポン制御部の機能的構成図
【図７】大気排熱による通常冷房運転時の作動を説明する図
【図８】排熱利用給湯運転時の作動を説明する図
【図９】沸上運転時の作動を説明する図
【図１０】排熱利用給湯運転を開始した後における、目標沸上温度の経時挙動を表すグラフ図、沸上温度の経時挙動を表すグラフ図、及び、沸上出力、冷房出力、ポンプ流量の経時挙動の一例を表すグラフ図
【図１１】室外機制御部、貯湯制御部、室内機制御部、熱交換制御部、ヒーポン制御部によって実行される処理手順を説明するフローチャート図
【発明を実施するための形態】
【００３２】
以下、本発明の一実施形態を図１〜図１１に基づいて説明する。
【００３３】
本実施形態の冷暖房機能付きヒートポンプ給湯機１（冷房排熱貯湯装置に相当）全体の回路構成を図１に示す。
【００３４】
図１において、本実施形態のヒートポンプ給湯機１は、貯湯タンク２を備えた貯湯ユニット１００と、エアコン室外機としての室外機ユニット３００と、エアコン室内機としての室内機ユニット２００と、熱交換ユニット４００と、ヒートポンプユニット５００と、を有している。
【００３５】
前記熱交換ユニット４００は、冷媒を流通させる冷媒側の流路１５ｂと水側の流路１５ａとを有し、高温高圧の冷媒と貯湯タンク２内の湯水とを熱交換する水冷媒熱交換器１５と、沸上ポンプ１９（循環ポンプに相当）と、を備えている。すなわち、前記水冷媒熱交換器１５の前記水側の流路１５ａと前記貯湯タンク２とが湯水配管としての加熱往き管５及び加熱戻り管６によって環状に接続され、前記貯湯ユニット１００及び熱交換ユニット４００内で湯水循環回路としての加熱循環回路４が形成されている。
【００３６】
加熱往き管５は、配管５ａ、配管５ｂを備えており、前記配管５ｂは前記貯湯タンク２の下部に接続されている。
【００３７】
加熱戻り管６は、配管６ａ、配管６ｂ、配管６ｃ、配管６ｄ（戻し管に相当）、配管６ｅを備えており、配管６ｂ，６ｃは、三方弁１０Ｃを介し、配管６ａから分岐して接続されている。前記配管６ｂは前記貯湯タンク２の上部に接続され、前記配管６ｄ，６ｅが、三方弁１０Ｄを介し、前記配管６ｃから分岐して接続されている。配管６ｄは、前記貯湯タンク２の高さ方向中間部に接続されており、配管６ｅは、前記貯湯タンク２の下部に接続されて貯湯タンク２に水を給水する給水管７に接続されている。給水管７からは給水バイパス管９が分岐して設けられている。
【００３８】
前記沸上ポンプ１９は、前記配管５ａの途中に設けられ、前記水側の流路１５ａを介し前記加熱往き管５からの湯水を前記加熱戻り管６へ流通させつつ、貯湯タンク２の湯水を循環させる。なお、前記加熱往き管５には、前記水冷媒熱交換器１５の前記水側の流路１５ａに流入する入水温度Ｔ１（湯水の入口温度）を検出する入水温度センサ２３が設けられ、前記加熱戻り管６には、前記水側の流路１５ａから前記貯湯タンク２に向かって流出する沸上温度Ｔｂ（実沸上温度に相当）を検出する沸上温度センサ２４（沸上温度検出手段に相当）が設けられている。
【００３９】
また、前記加熱往き管５の配管５ａに設けた後述の三方弁１０Ｆと沸上ポンプ１９との間に、当該沸上ポンプ１９による実際のポンプ流量を検出（決定）する流量センサ２８（流量決定手段に相当）が設けられている。なお、この流量センサ２８に代えて沸上ポンプ１９自体に備えられた回転数センサ（この場合の流量決定手段に相当）が検出する回転数に基づきポンプ流量を検出（決定）するようにしても良い。
【００４０】
前記貯湯タンク２の上部にはまた、貯湯されている湯水を出湯する出湯管８が接続されており、出湯管は、配管８ａ、配管８ｂ、配管８ｃ、配管８ｄを備えている。前記配管８ａは、前記貯湯タンク２の上部に接続されており、貯湯タンク２内の上部付近にある、相対的に高温の湯水（以下適宜、単に「高温水」という）を取り出して混合弁１０Ｂへと導く。前記配管８ｄは、前記貯湯タンク２の高さ方向中間部に接続され、貯湯タンク２内のうち上下方向中間部にある、相対的に高温でも低温でもない中温域の湯水（以下適宜、単に「中温水」という）を取り出す。この配管８ｄに対し、前記配管８ｂの貯湯タンク２側が分岐点Ｂを介し接続されている。この配管８ｂの反貯湯タンク２側は前記混合弁１０Ｂに接続されている。すなわち、配管８ａ及び配管８ｂは、混合弁１０Ｂを介し配管８ｃへと合流するように接続されている。前記混合弁１０Ｂは、配管８ａからの高温水と配管８ｄ及び配管８ｂからの中温水を所望の割合で混合し、配管８ｃへと導出する。
【００４１】
このとき、前記したように、前記分岐点Ｂに前記配管６ｄの貯湯タンク２側が接続されている。これにより、前記水冷媒熱交換器１５の前記水側の流路１５ａから、前記配管６ａ、配管６ｃを介し前記配管６ｄに導入された湯水は、前記配管８ｄを介して貯湯タンク２内へと戻される。なお、配管６ｄは、配管８ｄに接続されることなく配管８ｄとは別個独立して貯湯タンク２の高さ方向中間部に接続されていても良い。
【００４２】
なお、配管８ｃと前記給水バイパス管９とは、混合弁１０Ａを介し出湯管１１へ合流するように接続されている。出湯管１１には、混合弁１０Ａで混合後の給湯温度を検出する給湯温度センサ３７が設けられている。混合弁１０Ａは、給湯温度センサ３７の検出結果に基づき、前記配管８ｃからの湯水と前記給水バイパス管９からの水とを混合して給湯設定温度の湯とする。
【００４３】
なお、貯湯タンク２の側面には、貯湯タンク２内の湯水の温度（貯湯温度）をそれぞれ検出し前記湯水の加熱状況（言い替えれば貯湯状況）を検知するための貯湯温度センサ１２が上下にわたり複数設けられている。
【００４４】
一方、前記水冷媒熱交換器１５において前記貯湯タンク２内の湯水と熱交換（詳細は後述）可能な冷媒循環回路３０（後述の冷媒配管１８、冷媒配管２５、冷媒配管２６を含む）が、前記熱交換ユニット４００、前記室外機ユニット３００、及び前記室内機ユニット２００にわたって設けられている。
【００４５】
すなわち、前記室外機ユニット３００においては、冷媒を圧縮する圧縮機１４と、四方弁３１と、前記冷媒と外気との熱交換により凝縮器又は蒸発器として選択的に機能（詳細は後述）するヒートポンプ熱交換器としての室外熱交換器１７とが、前記冷媒配管１８によって接続されている。なお、室外熱交換器１７には、前記室外熱交換器１７に外気を通じるための室外ファン６７が設けられている。
【００４６】
詳細には、前記冷媒配管１８は、圧縮機１４の吐出側となる配管部１８ａと、前記圧縮機１４の吸入側となる配管部１８ｃと、暖房運転時において前記四方弁３１を介し前記配管部１８ａに接続される配管部１８ｂとを含んでいる。また前記冷媒配管１８は、前記暖房運転時における前記室外熱交換器１７の圧縮機１４側を前記四方弁３１を介し前記配管部１８ｃに接続する配管部１８ｄ，１８ｅと、前記室外熱交換器１７の反圧縮機１４側に接続される配管部１８ｆと、を含んでいる。前記配管部１８ｅは、二方弁１２２を備えており、前記配管部１８ｆは、第１開閉弁としての全閉機能付きの膨張弁１１３を備えている。
【００４７】
前記四方弁３１は４つのポートを備える弁であり、前記冷媒配管１８のうち（冷媒主経路を構成する）前記配管部１８ｂ，１８ｄ用の２つのポートのそれぞれに対して、残りの前記配管部１８ａ，１８ｃ用の２つのポートのいずれを連通するかを切り替える。前記配管部１８ａ，１８ｃ用の２つのポートどうしは、ループ状に配置された前記配管部１８ａ，１８ｃからなる冷媒副経路によって接続されており、この冷媒副経路上に前記圧縮機１４が設けられている。例えば四方弁３１は、暖房側へ切り替えられた場合は、前記圧縮機１４の吐出側である前記配管部１８ａを後述の室内熱交換器２７の入口側である前記配管部１８ｂに連通させ、冷房側へ切り替えられた場合は、前記配管部１８ａを前記室外熱交換器１７側である前記配管部１８ｄ，１８ｅに連通させる。
【００４８】
一方、前記熱交換ユニット４００においては、前記冷媒の流路となる冷媒配管２５が備えられており、前記水冷媒熱交換器１５の前記冷媒側の流路１５ｂが、前記冷媒配管２５に接続されている。
【００４９】
詳細には、前記冷媒配管２５は、前記配管部１８ｄと前記水冷媒熱交換器１５（詳細には前記冷媒側の流路１５ｂ）の一方側とを接続する配管部２５ａと、前記水冷媒熱交換器１５（詳細には前記冷媒側の流路１５ｂ）のうち前記配管部２５ａの反対側である他方側と前記配管部１８ｆとを接続する配管部２５ｂと、を含んでいる。前記配管部２５ａは、前記四方弁３１と前記水冷媒熱交換器１５の前記一方側とを開閉可能な第２開閉弁としての二方弁１２１を備えており、前記配管部２５ｂは全閉機能付きの膨張弁１１１を備えている。
【００５０】
一方、前記室内機ユニット２００においては、前記冷媒の流路となる冷媒配管２６が備えられており、前記冷媒と室内空気との熱交換により凝縮器又は蒸発器として選択的に機能（詳細は後述）する室内熱交換器２７が前記冷媒配管２６に接続されている。なお、室内熱交換器２７には、前記室内熱交換器２７に室内空気を通じるための室内ファン７７が設けられている。
【００５１】
詳細には、前記冷媒配管２６は、前記配管部１８ｂに連通して設けられ、前記室内熱交換器２７のうち暖房運転時等における入口側に接続される配管部２６ａと、前記室内熱交換器２７の暖房運転時等における出口側を前記配管部１８ｆに接続する配管部２６ｂと、を含んでいる。
【００５２】
また、前記ヒートポンプユニット５００は、冷媒を流通させる冷媒側の流路１１５ｂと水側の流路１１５ａとを有し、高温高圧の冷媒と貯湯タンク２内の湯水とを熱交換可能な水冷媒熱交換器１１５と、沸上ポンプ１１９と、を備えている。すなわち、前記加熱往き管５の配管５ａに設けた三方弁１０Ｆから分岐して設けられた配管１０５ａが前記水冷媒熱交換器１１５の前記水側の流路１１５ａの一方側（図示下側）と接続されるとともに、前記加熱戻り管６の配管６ａから分岐して設けられた配管１０６ａが前記水側の流路１１５ａの他方側（図示上側）に接続されており、これら配管１０６ａ，１０５ａ（湯水配管に相当）によって前記ヒートポンプユニット５００内で湯水循環回路としての加熱循環回路１０４が形成されている。前記沸上ポンプ１１９は、前記配管１０５ａの途中に設けられ、前記水側の流路１１５ａを介し前記加熱往き管５からの湯水を前記加熱戻り管６へ流通させつつ、貯湯タンク２の湯水を循環させることができる。
【００５３】
また、ヒートポンプユニット５００には、前記水冷媒熱交換器１１５において前記貯湯タンク２内の湯水と熱交換可能な冷媒循環回路１３０が設けられている。すなわち、前記冷媒循環回路１３０において、冷媒を圧縮する圧縮機１１４と、前記冷媒と外気との熱交換により凝縮器又は蒸発器として選択的に機能する室外熱交換器１１７と、膨張弁１２３とが、前記冷媒配管１１８によって接続されている。なお、室外熱交換器１１７には、前記室外熱交換器１１７に外気を通じるための室外ファン１６７が設けられている。
【００５４】
ここで、前記冷媒循環回路３０，１３０内には、冷媒として例えばＲ３２冷媒が用いられ、ヒートポンプサイクルを構成している。なお、冷媒はＨＦＣ冷媒やＨＦＯ冷媒、二酸化炭素冷媒であってもよい。そして、前記冷媒配管１８において、前記配管部１８ａには、圧縮機１４から吐出される冷媒吐出温度Ｔｏｕｔを検出する吐出温度センサ２０が設けられ、前記配管部１８ｃには、圧縮機１４へ吸入される冷媒の冷媒吸入温度Ｔｉｎを検出する吸入温度センサ３２が設けられている。なお、前記室外熱交換器１７には、外気温度Ｔａｉｒを検出する外気温度センサ２２が設けられている。これらのセンサ２０，３２，２２の検出結果は、室外機ユニット３００に設けられた室外機制御部４１０に入力され、さらに適宜、貯湯ユニット１００に設けられた貯湯制御部４２０や室内機ユニット２００に設けられた室内機制御部４３０や熱交換ユニット４００に設けた熱交換制御部４４０やヒートポンプユニット５００に設けたヒーポン制御部４５０へも入力される（室外機制御部４１０を介し受信しても良いし、センサ２０，３２，２２から直接受信してもよい）。
【００５５】
また、前記熱交換ユニット４００の前記冷媒配管２５において、前記配管部２５ｂには、前記冷媒側の流路１５ｂから流出し前記膨張弁１１１に向かう冷媒流出温度Ｔ２（第３検出値）を検出する流出温度センサ２１が設けられている。なお、前記水冷媒熱交換器１５には、前記冷媒が前記冷媒側の流路１５ｂにおいて凝縮する際の冷媒凝縮温度を検出する凝縮温度センサ３３が設けられている。これらのセンサ２１，３３の検出結果は、熱交換ユニット４００に設けられた前記熱交換制御部４４０に入力され、さらに適宜、前記室外機制御部４１０や前記室内機制御部４３０や前記貯湯制御部４２０や前記ヒーポン制御部４５０へも入力される（熱交換制御部４４０を介し受信しても良いし、センサ２１，３３から直接受信してもよい）。
【００５６】
また、室内機ユニット２００の前記冷媒配管２６において、前記室内熱交換器２７には、空調対象空間の室内温度Ｔｒを検出する室内温度センサ３４が設けられている。このセンサ３４の検出結果は、室内機ユニット２００に設けられた室内機制御部４３０に入力され、さらに適宜、前記室外機制御部４１０や前記貯湯制御部４２０や前記熱交換制御部４４０や前記ヒーポン制御部４５０へも入力される（室内機制御部４３０を介し受信しても良いし、センサ３４から直接受信してもよい）。
【００５７】
そして、前記貯湯ユニット１００の前記貯湯制御部４２０、前記熱交換ユニット４００の前記熱交換制御部４４０、前記室外機ユニット３００の前記室外機制御部４１０、前記室内機ユニット２００の前記室内機制御部４３０、及び、前記ヒートポンプユニット５００の前記ヒーポン制御部４５０は、互いに通信可能に接続されており、前記各センサの検出結果に基づき、相互に連携しつつ、前記貯湯ユニット１００、前記熱交換ユニット４００、前記室外機ユニット３００、前記室内機ユニット２００、前記ヒートポンプユニット５００内の各機器・アクチュエータの動作を制御する。
【００５８】
このとき、前記室内機ユニット２００は、リモコン等の適宜の操作部６０（以下単に「リモコン６０」と称する）によって操作可能である。すなわち、リモコン６０は、例えば前記室内機制御部４３０に対し情報送受信可能に接続されており、ユーザは、このリモコン６０を適宜に手動操作することにより、いずれの運転を行うかの運転指示、すなわち、大気排熱の冷房運転（以下適宜、「通常冷房運転」等という）、排熱利用給湯の冷房運転（以下適宜、「排熱利用給湯運転」等という）、前記ヒートポンプユニット５００のみによる貯湯タンク２内の湯水の沸上運転（以下適宜、単に「沸上運転」という）等、のいずれを行うかを指示することができる。これらのリモコン６０からの指示内容は、室内機ユニット２００に設けられた前記室内機制御部４３０に入力され、さらに適宜、前記室外機制御部４１０や前記熱交換制御部４４０や前記貯湯制御部４２０やヒーポン制御部４５０へも入力される（室内機制御部４３０を介し受信しても良いし、リモコン６０から直接受信してもよい）。
【００５９】
次に、前記室外機ユニット３００に備えられた前記室外機制御部４１０について説明する。室外機制御部４１０は、詳細な図示を省略するが、各種のデータやプログラムを記憶する記憶部と、演算・制御処理を行う制御部とを備えている。この室外機制御部４１０の機能的構成を図２により説明する。
【００６０】
図２に示すように、前記室外機制御部４１０は、四方弁制御部４１０Ａと、圧縮機制御部４１０Ｂと、膨張弁制御部４１０Ｃと、室外ファン制御部４１０Ｄと、二方弁制御部４１０Ｅと、を機能的に備えている。
【００６１】
四方弁制御部４１０Ａには、前記リモコン６０により指示された、いずれの運転を行うかの運転指示と、前記貯湯温度センサ１２により検出された前記貯湯温度とが入力される。
【００６２】
四方弁制御部４１０Ａは、前記運転指示と、前記貯湯温度に対応した前記湯水の加熱状況（貯湯状況）とに応じて、実際にヒートポンプ給湯機１をどのような運転態様（前記の通常冷房運転、排熱利用給湯運転、沸上運転）で運転するかを決定し、対応する運転情報を、前記圧縮機制御部４１０Ｂ、膨張弁制御部４１０Ｃ、室外ファン制御部４１０Ｄ、二方弁制御部４１０Ｅ、及び、貯湯制御部４２０、室内機制御部４３０、熱交換制御部４４０、ヒーポン制御部４５０に出力する。また、四方弁制御部４１０Ａは、上記決定された運転態様に対応する開閉信号を四方弁３１へ出力し、四方弁３１を切り替える（詳細な制御内容は後述）。
【００６３】
圧縮機制御部４１０Ｂには、前記外気温度センサ２２により検出された前記外気温度Ｔａｉｒと、前記室内温度センサ３４により検出された前記室内温度Ｔｒと、前記リモコン６０により設定されたエアコン設定温度Ｔｃｏｎとが入力される（直接入力される場合のほか、前記の間接的な入力も含む。以下同様）。圧縮機制御部４１０Ｂは、前記のようにして四方弁制御部４１０Ａから入力される前記運転情報に応じて、入力された前記の温度及び設定のうち少なくとも１つに基づき、前記圧縮機１４の回転数を制御する。なおこのときの圧縮機１４の回転数（制御値）は、後述の熱交換制御部４４０の膨張弁制御部４４０Ｂにも出力される（図示省略）。
【００６４】
膨張弁制御部４１０Ｃには、前記吐出温度センサ２０により検出された前記冷媒吐出温度Ｔｏｕｔと、前記流出温度センサ２１により検出された前記冷媒流出温度Ｔ２と、前記吸入温度センサ３２により検出された前記冷媒吸入温度Ｔｉｎとが入力される。膨張弁制御部４１０Ｃは、前記四方弁制御部４１０Ａからの前記運転情報に応じて、前記の入力された温度のうち少なくとも１つに基づき、前記膨張弁１１３の開度を制御する（詳細な制御内容は後述）。
【００６５】
二方弁制御部４１０Ｅは、前記四方弁制御部４１０Ａからの前記運転情報に応じて、前記二方弁１２２の開閉を制御する（詳細な制御内容は後述）。
【００６６】
室外ファン制御部４１０Ｄには、前記外気温度センサ２２により検出された前記外気温度Ｔａｉｒが入力される。室外ファン制御部４１０Ｄは、前記四方弁制御部４１０Ａからの前記運転情報に応じて、前記外気温度Ｔａｉｒに基づき、前記室外ファン６７の回転数を制御する。
【００６７】
なお、前記運転態様の決定は、貯湯制御部４２０や室内機制御部４３０や熱交換制御部４４０やヒーポン制御部４５０で行っても良い。この場合は、それら貯湯制御部４２０や室内機制御部４３０や熱交換制御部４４０やヒーポン制御部４５０から、決定された運転態様に対応した前記運転情報が室外機制御部４１０に入力され、その入力された運転情報に応じて四方弁制御部４１０Ａ、圧縮機制御部４１０Ｂ、膨張弁制御部４１０Ｃ、室外ファン制御部４１０Ｄ、二方弁制御部４１０Ｅが各種制御を行う。
【００６８】
次に、前記熱交換ユニット４００に備えられた前記熱交換制御部４４０について説明する。熱交換制御部４４０は、前記室外機制御部４１０同様、記憶部と制御部とを備えており、その機能的構成を図３により説明する。
【００６９】
図３に示すように、前記熱交換制御部４４０は、ポンプ制御部４４０Ａと、膨張弁制御部４４０Ｂと、二方弁制御部４４０Ｃとを機能的に備えている。
【００７０】
ポンプ制御部４４０Ａには、前記室外機制御部４１０からの前記運転情報と、前記沸上温度センサ２４により検出された前記沸上温度Ｔｂと、前記流量センサ２８により検出された前記ポンプ流量と、が入力される。ポンプ制御部４４０Ａは、前記のようにして室外機制御部４１０から入力される前記運転情報に応じて、入力された前記沸上温度Ｔｂに基づき、前記沸上ポンプ１９の回転数を制御する。本実施形態では、ポンプ制御部４４０Ａは、常には、前記沸上温度Ｔｂと、予め定められた所定の目標沸上温度Ｔｂｏ（後述の図１０（ａ）参照）との偏差に応じて、前記沸上ポンプ１９の回転数を制御する。
【００７１】
膨張弁制御部４４０Ｂには、前記室外機制御部４１０からの前記運転情報と、前記外気温度センサ２２により検出された前記外気温度Ｔａｉｒと、前記室外機制御部４１０の前記圧縮機制御部４１０Ｂから入力された前記圧縮機１４の回転数（制御値。但し公知の手法で検出された実際の圧縮機１４の回転数を入力しても良い）と、前記流出温度センサ２１により検出された前記冷媒流出温度Ｔ２と、前記吸入温度センサ３２により検出された前記冷媒吸入温度Ｔｉｎと、前記吐出温度センサ２０により検出された前記冷媒吐出温度Ｔｏｕｔとが入力される。膨張弁制御部４４０Ｂは、前記室外機制御部４１０からの前記運転情報に応じて、前記の入力された温度や回転数のうち少なくとも１つに基づき、前記膨張弁１１１０の開閉や開度を制御する。
【００７２】
二方弁制御部４４０Ｃには、前記室外機制御部４１０からの前記運転情報が入力される。二方弁制御部４４０Ｃは、前記運転情報に基づき、前記二方弁１２１の開閉動作を制御する（詳細な制御内容は後述）。
【００７３】
なお、前記と同様、運転態様の決定を、熱交換制御部４４０内（例えば前記二方弁制御部４４０Ｃ）や室内機制御部４３０や貯湯制御部４２０やヒーポン制御部４５０で行っても良い。この場合は、それら二方弁制御部４４０Ｃや室内機制御部４３０や貯湯制御部４２０やヒーポン制御部４５０で決定した運転態様に対応する運転情報に応じて、ポンプ制御部４４０Ａ、膨張弁制御部４４０Ｂが各種制御を行う。
【００７４】
次に、前記室内機ユニット２００に備えられた前記室内機制御部４３０について説明する。室内機制御部４３０は、前記室外機制御部４１０及び熱交換制御部４４０同様、記憶部と制御部とを備えており、その機能的構成を図４により説明する。
【００７５】
図４に示すように、前記室内機制御部４３０は、室内ファン制御部４３０Ａを機能的に備えている。室内ファン制御部４３０Ａには、前記室外機制御部４１０からの前記運転情報と、前記室内温度センサ３４により検出された前記室内温度Ｔｒと、前記リモコン６０により設定された前記エアコン設定温度Ｔｃｏｎとが入力される。室内ファン制御部４３０Ａは、前記室外機制御部４１０からの前記運転情報に応じて、前記室内温度Ｔｒ及びエアコン設定温度Ｔｃｏｎに基づき、前記室内ファン７７の回転数を制御する。
【００７６】
なお、前記と同様、運転態様の決定を、室内機制御部４３０内や熱交換制御部４４０や貯湯制御部４２０やヒーポン制御部４５０で行っても良い。この場合は、それら室内機制御部４３０や熱交換制御部４４０や貯湯制御部４２０やヒーポン制御部４５０で決定した運転態様に対応する運転情報に応じて、室内ファン制御部４３０Ａが前記制御を行う。
【００７７】
次に、前記貯湯ユニット１００に備えられた前記貯湯制御部４２０について説明する。貯湯制御部４２０は、前記室外機制御部４１０、熱交換制御部４４０、室内機制御部４３０と同様、記憶部と制御部とを備えており、その機能的構成を図５により説明する。
【００７８】
図５に示すように、前記貯湯制御部４２０は、戻し制御部４２０Ｂと、温度制御部４２０Ｃと、を機能的に備えている。
【００７９】
戻し制御部４２０Ｂには、前記室外機制御部４１０からの前記運転情報と、前記貯湯温度センサ１２により検出された前記貯湯温度と、前記沸上温度センサ２４により検出された前記沸上温度Ｔｂと、が入力される。戻し制御部４２０Ｂは、前記室外機制御部４１０からの前記運転情報と、前記貯湯温度に対応した前記湯水の加熱状況（貯湯状況）とに応じて三方弁１０Ｃ，１０Ｄの開度を適宜に制御する。これにより、貯湯タンク２への湯水を、配管６ｃ，６ｅを介して貯湯タンク２の下部へ戻すのか、若しくは、配管６ｃ，６ｄを介して貯湯タンク２の中間部へ戻すのか、若しくは、配管６ｂを介して貯湯タンク２の上部へ戻すのか、等が制御される。なお、本実施形態では、基本的に、前記排熱利用給湯運転のときには、水冷媒熱交換器１５において熱交換を行った後の湯水（中温水）が配管６ｃ，６ｄを介して貯湯タンク２の中間部へ戻され、前記沸上運転のときには、前記ヒートポンプユニット５００にて加温された湯水（高温水）が配管６ｂを介して貯湯タンク２の上部へ戻される。
【００８０】
温度制御部４２０Ｃには、前記室外機制御部４１０からの前記運転情報と、前記貯湯温度センサ１２により検出された前記貯湯温度と、給湯温度センサ３７により検出された給湯温度と、が入力される。温度制御部４２０Ｃは、前記室外機制御部４１０からの前記運転情報と、前記貯湯温度に対応した前記湯水の加熱状況（貯湯状況）とに応じて、前記給湯温度センサ３７からの前記給湯温度が、前記給湯設定温度となるように、混合弁１０Ａ，１０Ｂの開度を適宜に制御する。
【００８１】
なお、前記と同様、運転態様の決定を、貯湯制御部４２０内や熱交換制御部４４０や室内機制御部４３０やヒーポン制御部４５０で行っても良い。この場合は、それら貯湯制御部４２０や熱交換制御部４４０や室内機制御部４３０で決定した運転態様に対応する運転情報に応じて、戻し制御部４２０Ｂ、温度制御部４２０Ｃが前記制御を行う。
【００８２】
次に、前記ヒートポンプユニット５００に備えられた前記ヒーポン制御部４５０について説明する。ヒーポン制御部４５０は、前記室外機制御部４１０、熱交換制御部４４０、室内機制御部４３０、貯湯制御部４２０と同様、記憶部と制御部とを備えており、その機能的構成を図６により説明する。
【００８３】
図６に示すように、前記ヒーポン制御部４５０は、ポンプ制御部４５０Ａと、圧縮機制御部４５０Ｂと、膨張弁制御部４５０Ｃと、室外ファン制御部４５０Ｄと、を機能的に備えている。
【００８４】
ポンプ制御部４５０Ａには、前記室外機制御部４１０からの前記運転情報と、前記水冷媒熱交換器１１５の水側の流路１１５ａの出口側に設けられた温度センサ（図示せず）からの出口温度とが入力される。ポンプ制御部４５０Ａは、前記のようにして入力される前記運転情報に応じて、入力された前記の温度及び設定のうち少なくとも１つに基づき、前記沸上ポンプ１１９の回転数を制御する。
【００８５】
圧縮機制御部４５０Ｂには、前記室外機制御部４１０からの前記運転情報と、前記外気温度センサ２２により検出された前記外気温度Ｔａｉｒとが入力される。圧縮機制御部４５０Ｂは、前記のようにして入力される前記運転情報に応じて、入力された前記の温度及び設定のうち少なくとも１つに基づき、前記圧縮機１１４の回転数を制御する。
【００８６】
膨張弁制御部４５０Ｃには、前記室外機制御部４１０からの前記運転情報と、前記圧縮機１１４の吐出側に設けられた吐出温度センサ２０（図示せず）により検出された前記冷媒吐出温度とが入力される。膨張弁制御部４５０Ｃは、前記運転情報に応じて、前記の入力された温度のうち少なくとも１つに基づき、前記膨張弁１２３の開度を制御する。
【００８７】
室外ファン制御部４５０Ｄには、前記室外機制御部４１０からの前記運転情報と、前記外気温度センサ２２により検出された前記外気温度Ｔａｉｒが入力される。室外ファン制御部４５０Ｄは、前記運転情報に応じて、前記外気温度Ｔａｉｒに基づき、前記室外ファン１６７の回転数を制御する。
【００８８】
なお、前記と同様、運転態様の決定を、ヒーポン制御部４５０内や貯湯制御部４２０や室内機制御部４３０や熱交換制御部４４０で行っても良い。この場合は、それらヒーポン制御部４５０や貯湯制御部４２０や室内機制御部４３０や熱交換制御部４４０で決定した運転態様に対応した前記運転情報に応じて、圧縮機制御部４５０Ｂ、膨張弁制御部４５０Ｃ、室外ファン制御部４５０Ｄが前記制御を行う。
【００８９】
ヒーポン制御部４５０は、上記圧縮機制御部４５０Ｂ、膨張弁制御部４５０Ｃ、室外ファン制御部４５０Ｄの制御により、前記水冷媒熱交換器１５における前記熱交換が行われない場合であっても（若しくは当該水冷媒熱交換器１５における前記熱交換の実行と併せて）、貯湯タンク２内の湯水を加熱して供給する前記沸上運転等を実行することができる。
【００９０】
ここで、前記したように、本実施形態のヒートポンプ給湯機１では、通常冷房運転、排熱利用給湯運転、沸上運転等の各種類の運転を選択的に実行することができる。以下、各運転の詳細を順次説明する。
【００９１】
＜通常冷房運転＞
まず、図７を用いて、通常冷房運転について説明する。この図７に示す通常冷房運転時（大気排熱冷房モードに相当）においては、前記四方弁制御部４１０Ａにより、前記四方弁３１は、前記配管部１８ａを前記配管部１８ｄに連通させると共に前記配管部１８ｃを前記配管部１８ｂに連通させる位置（前記した冷房側）に切り替えられる。また前記二方弁制御部４１０Ｅ，４４０Ｃにより、二方弁１２２が開き状態、二方弁１２１が閉じ状態に切り替えられる。さらに前記膨張弁制御部４１０Ｃ，４４０Ｂにより、膨張弁１１３が適宜の開度に調整された状態、膨張弁１１１が全閉状態に制御される。
【００９２】
この結果、圧縮機１４の吐出側の配管部１８ａ→配管部１８ｄ→配管部１８ｅ（二方弁１２２）→室外熱交換器１７→配管部１８ｆ（膨張弁１１３）→配管部２６ｂ→室内熱交換器２７→配管部２６ａ→配管部１８ｂ→圧縮機１４の吸入側の配管部１８ｃの冷媒経路が形成される。
【００９３】
これにより、低温・低圧で吸入されたガス状態の冷媒が前記圧縮機１４で圧縮されて高温・高圧のガスとなった後、室外ファン６７の回転駆動とともに凝縮器として機能する前記室外熱交換器１７において外気と熱交換を行って熱を放出しながら高圧の液体に変化する。こうして液体となった冷媒は前記膨張弁１１３において適宜に減圧されて低温・低圧の液体となって蒸発しやすい状態となり、室内ファン７７の回転駆動とともに蒸発器として機能する前記室内熱交換器２７において室内空気から吸熱して蒸発しガスに変化することで空調対象空間を冷却し、低温・低圧のガスとして再び圧縮機１４へと戻る。
【００９４】
＜排熱利用給湯運転＞
次に、図８を用いて、排熱利用給湯運転について説明する。この図８に示す排熱利用給湯運転時（排熱利用冷房モードに相当）においては、前記四方弁制御部４１０Ａにより、前記通常冷房運転時と同様、前記四方弁３１は、前記冷房側に切り替えられる。また前記二方弁制御部４１０Ｅ，４４０Ｃにより、二方弁１２２が閉じ状態、二方弁１２１が開き状態に切り替えられる。さらに前記膨張弁制御部４１０Ｃ，４４０Ｂにより、前記膨張弁１１３が全閉状態、前記膨張弁１１１が適宜の開度に調整された状態、に制御される。
【００９５】
この結果、圧縮機１４の吐出側の配管部１８ａ→配管部１８ｄ→配管部２５ａ（二方弁１２１）→水冷媒熱交換器１５→配管部２５ｂ（膨張弁１１１）→配管部２６ｂ→室内熱交換器２７→配管部２６ａ→配管部１８ｂ→圧縮機１４の吸入側の配管部１８ｃの冷媒経路が形成される。
【００９６】
これにより、低温・低圧で吸入されたガス状態の冷媒が前記圧縮機１４で圧縮されて高温・高圧のガスとなった後、凝縮器として機能する前記水冷媒熱交換器１５の前記冷媒側の流路１５ｂにおいて熱を放出しながら高圧の液体に変化する。こうして液体となった冷媒は前記膨張弁１１１において適宜に減圧されて低温・低圧の液体となって蒸発しやすい状態となり、室内ファン７７の回転駆動とともに蒸発器として機能する前記室内熱交換器２７において室内空気から吸熱して蒸発しガスに変化することで空調対象空間を冷却し、低温・低圧のガスとして再び圧縮機１４へと戻る。
【００９７】
また、沸上ポンプ１９が前記ポンプ制御部４４０Ａの制御により回転することで、貯湯タンク２下部に接続された前記配管５ｂから取り出された低温水（未加熱水）が、前記熱交換ユニット４００の水冷媒熱交換器１５の前記水側の流路１５ａにおいて前記凝縮する冷媒から受熱して加熱されて前記中温水となった後、貯湯タンク２内に戻される（給湯処理）。すなわち、前記熱交換ユニット４００は、貯湯タンク２へ前記中温水を貯める中温熱源として機能する。以上の結果、夏期における冷房排熱を貯湯タンク２への湯水の加温（給湯）に活用することができる。
【００９８】
なお、以上の運転態様において説明したように、本実施形態においては、前記四方弁３１と、前記二方弁１２２，１２１と、前記膨張弁１１３，１１１と、これらを制御する前記室外機制御部４１０、前記貯湯制御部４２０、前記室内機制御部４３０、及び前記熱交換制御部４４０とが、各請求項記載のモード切替手段として機能する。
【００９９】
＜沸上運転＞
次に、図９を用いて沸上運転について説明する。この図９に示す沸上運転時においては、前記膨張弁制御部４５０Ｃにより、前記膨張弁１２３が適宜の開度に調整された状態、に制御される。
【０１００】
この結果、前記圧縮機１１４の吐出側→水冷媒熱交換器１１５の冷媒側の流路１１５ｂ→冷媒配管１１８（膨張弁１２３）→室外熱交換器１１７→圧縮機１１４の冷媒経路が形成される。
【０１０１】
これにより、低温・低圧で吸入されたガス状態の冷媒が前記圧縮機１１４で圧縮されて高温・高圧のガスとなった後、凝縮器として機能する水冷媒熱交換器１１５の前記冷媒側の流路１１５ｂにおいて前記水側の流路１１５ａを流れる水と熱交換を行って前記水に熱を放出し加熱しながら高圧の液体に変化する。こうして液体となった冷媒は前記膨張弁１２３において減圧されて低温・低圧の液体となって蒸発しやすい状態となり、蒸発器として機能する前記室外熱交換器１１７において外気と熱交換を行って蒸発してガスに変化することで吸熱し、低温・低圧のガスとして再び圧縮機１１４へと戻る。
【０１０２】
また、沸上ポンプ１１９が前記ポンプ制御部４５０Ａの制御により回転することで、貯湯タンク２下部に接続された前記加熱往き管５から取り出された低温水（未加熱水）が、前記ヒートポンプユニット５００の水冷媒熱交換器１１５の前記水側の流路１１５ａにおいて前記凝縮する冷媒から受熱してふろの追い焚き等の熱利用側の熱源として利用しやすい６５℃〜９０℃程度の高温まで加熱された後、貯湯タンク２上部に接続された加熱戻り管６から貯湯タンク２内に戻されることで、貯湯タンク２内に順次前記高温水（加熱水）が積層状に貯湯される。すなわち、前記ヒートポンプユニット５００は、貯湯タンク２へ前記高温水を貯める高温熱源として機能する。
【０１０３】
＜実施形態の特徴＞
上記構成及び基本動作の本実施形態において、その特徴は、前記排熱利用給湯運転時において、冷房出力増大時に前記目標沸上温度Ｔｂｏを一時的に増大補正することにある。その詳細を順を追って説明する。
【０１０４】
＜ポンプ回転数のフィードバック制御＞
前述したように、加熱循環回路４において湯水の循環を行う前記沸上ポンプ１９の回転数は、前記ポンプ制御部４４０Ａによって、前記沸上温度センサ２４が検出する湯水の沸上温度Ｔｂと前記目標沸上温度Ｔｂｏとの偏差に応じ、沸上温度Ｔｂが目標沸上温度Ｔｂｏとなるようにフィードバック制御される。この結果、例えば前記冷凍サイクル側の出力（冷房出力）が大きくなると、沸上温度Ｔｂを目標沸上温度Ｔｂｏに維持するために沸上ポンプ１９の回転数は高くなり、湯水の流量が大きくなって加熱循環回路４における出力（沸上出力）は増大する。逆に前記冷房出力が小さくなると、沸上温度Ｔｂを維持するために沸上ポンプ１９の回転数は低くなり、前記沸上出力も減少する。
【０１０５】
＜貯湯タンクへの中温水の戻し＞
このとき、前記水冷媒熱交換器１５の水側の流路ａからの湯水は、前述の配管６ｄ，８ｄを介して、貯湯タンク２の高さ方向中間部に戻される。これには、以下の意義がある。すなわち、前記のように前記沸上出力が前記冷房出力の大小に応じて増減することから、通常、冷房ＣＯＰを高く維持するために、湯水の前記目標沸上温度Ｔｂｏは比較的低く（例えば４５℃等。前記した中温水となる）設定される。このとき、貯湯タンク２内の上部には、例えば前述の沸上運転により沸き上げられた、上記の温度よりも高い湯水（前記した高温水）が貯留されている。したがって、前記のように温度が相対的に低い中温水を貯湯タンク２上部ではなく貯湯タンク２の高さ方向中間部に戻すことにより、例えばふろの追い焚き等に利用される、前記貯湯タンク２内上部にある前記高温水の層を壊さないようにすることができるものである。
【０１０６】
ここで、前記のように前記沸上出力が前記冷房出力に連動して増減することから、冷房出力がある程度大きくなった場合に、前記沸上出力も大きくなって前記中温水の流量が増大する。この結果、前記中温水が比較的速い速度で前記貯湯タンク２内に戻されてしまい、貯湯タンク２内において上部の高温水の層と中間部の中温水の層との境界層を破壊してしまうおそれがある。
【０１０７】
＜目標沸上温度の補正＞
そこで、本実施形態においては、前記境界層の破壊を防止するために、前記ポンプ制御部４４０Ａが、前記目標沸上温度Ｔｂｏの増大補正を行う。この処理の詳細を、図１０（ａ）〜（ｃ）により説明する。図１０（ａ）は、前記排熱利用給湯運転を開始した後における、前記ポンプ制御部４４０Ａにより設定される前記目標沸上温度Ｔｂｏの経時挙動を示し、図１０（ｂ）は、その目標沸上温度Ｔｂｏの設定に対応した前記沸上温度Ｔｂの経時挙動の一例を示し、図１０（ｃ）は、前記目標沸上温度Ｔｂｏ及び前記沸上温度Ｔｂの経時挙動に対応した、前記沸上出力、前記冷房出力、前記ポンプ流量の経時挙動の一例を示している。
【０１０８】
図１０（ａ）〜（ｃ）において、まず、前記排熱利用給湯運転を開始後、前記冷房出力が徐々に増大しこれに対応して沸上出力も徐々に増大する。これに対応して、前記ポンプ制御部４４０Ａの制御により、前記沸上ポンプ１９の回転数が徐々に増大制御され、ポンプ流量が増大する。これにより、前記沸上温度センサ２４により検出される沸上温度Ｔｂが、この時点での（すなわち後述する増大補正がなされる前の）前記目標沸上温度Ｔｂｏ（この例では４５℃）に維持されるように制御される。この増大制御は、ポンプ流量が、予め定められた所定流量（図１０（ｃ）の例では４リットル／ｍｉｎ）となるまでの間（区間Ｌ１）、継続される（回転数増大処理）。
【０１０９】
このとき、仮に前記ポンプ制御部４４０Ａがそのまま前記目標沸上温度Ｔｂｏを４５℃に維持したとすると、さらなる前記冷房出力及び前記沸上出力の増大により、ポンプ流量は、前記所定流量を超えて上昇することとなってしまう（２点鎖線で表すイ参照）。この結果、前述したように貯湯タンク２へ戻る前記中温水の流速増大によって前記高温水と前記中温水との境界層が破壊されるおそれがある。そこで本実施形態では、前記ポンプ制御部４４０Ａは、前記ポンプ流量が前記所定流量（この例では４リットル／ｍｉｎ）となった後は、前記目標沸上温度Ｔｂｏを所定値△Ｔ（例えば図１０（ａ）に示す例では３℃）だけ増大補正する。これにより、前記沸上温度Ｔｂは、増大した前記目標沸上温度Ｔｂｏの値（この例では４８℃）までの上昇が許容される（図１０（ｂ）中のア参照）こととなることから、沸上温度Ｔｂが前記４８℃まで増大するまでの間（区間Ｌ２）は、前記ポンプ流量は、略一定すなわち前記所定流量に保たれる（第１処理期間としての区間Ｌ２）。
【０１１０】
その後、この例では、前記沸上温度Ｔｂが前記補正後の目標沸上温度Ｔｂｏ（前記の例では４８℃）となるタイミングで前記冷房出力及び前記沸上出力が略一定値となる。この結果、前記ポンプ制御部４４０Ａの制御により、沸上温度Ｔｂ＝補正後目標沸上温度Ｔｂｏの状態のまま、前記ポンプ流量はしばらくの間（第２処理期間としての区間Ｌ３）略一定に保たれる。
【０１１１】
その後、ある程度の時間が経過し（例えば冷房負荷が低下して）前記冷房出力及び前記沸上出力が低下するが、前記ポンプ制御部４４０Ａの制御により前記ポンプ流量は引き続き略一定に保たれ、前記沸上温度Ｔｂは徐々に低下する（第３処理期間としての区間Ｌ４）。
【０１１２】
そして、この例では、検出される前記沸上温度Ｔｂが前記増大補正を行う前の前記目標沸上温度Ｔｂｏ（この例では４５℃）まで低下したときに、前記ポンプ制御部４４０Ａの制御により、前記目標沸上温度Ｔｂｏが前記増大補正される前の値に復帰するとともに、前記沸上ポンプ１９の回転数が徐々に減少制御されてポンプ流量が減少する。これにより、前記検出される前記沸上温度Ｔｂは、前記復帰後の前記目標沸上温度Ｔｂｏとなるように制御される（区間Ｌ５で実行される回転数減少処理）。
【０１１３】
なお、前記区間Ｌ２，Ｌ３，Ｌ４において実行される処理が、流量一定化処理に相当している。
【０１１４】
以上のようにして、本実施形態においては、前記排熱利用給湯運転時において、前記ポンプ流量が前記所定流量に到達した後に冷房出力がさらに増大しても、それに対応する前記沸上出力の増大分を沸上温度Ｔｂの上昇で吸収することで、前記ポンプ流量については当該所定流量のまま一定に保つことができる。
【０１１５】
＜処理手順＞
上記手法を実現するために、前記した室外機制御部４１０、貯湯制御部４２０、室内機制御部４３０、熱交換制御部４４０、ヒーポン制御部４５０によって実行される処理手順を、図１１に示すフローチャートによって説明する。
【０１１６】
図１１において、まず、ステップＳ１０で、例えば室外機制御部４１０が、前記リモコン６０における適宜の操作によって、前記排熱利用給湯運転の開始が指示されたか否かを判定する。運転開始が指示されていなければこの判定は満たされず（Ｓ１１０：ＮＯ）、この判定が満たされるまでループ待機する。前記開始が指示されていればこの判定は満たされ（Ｓ１０：ＹＥＳ）、ステップＳ２０に移行する。
【０１１７】
ステップＳ２０では、例えば熱交換制御部４４０のポンプ制御部４４０Ａが、前記目標沸上温度Ｔｂｏの増大補正の有無を表すフラグＦをＦ＝０に初期化する。
【０１１８】
その後、ステップＳ３０で、室外機制御部４１０、貯湯制御部４２０、室内機制御部４３０、及び、熱交換制御部４４０が互いに連携して、前記排熱利用給湯運転を開始する。これにより、前記図８に示したように、水冷媒熱交換器１５において熱交換を行った後の湯水は、配管６ｃ，６ｄ，８ｄを介して貯湯タンク２の高さ方向中間部へ戻される。
【０１１９】
そして、ステップＳ４０で、例えば前記ポンプ制御部４４０Ａが、前記フラグＦが１であるか否かを判定する。前記したように前記排熱利用給湯運転の開始直後は前記フラグＦ＝０のままであるから判定が満たされず（Ｓ４０：ＮＯ）、ステップＳ５０へ移行する。
【０１２０】
ステップＳ５０では、ポンプ制御部４４０Ａは、前記した流量センサ２８の検出結果に基づき、前記ポンプ流量が前記所定流量（前記図１０の例では毎分４リットル）まで増大したか否かを判定する。前記排熱利用給湯運転の開始直後はポンプ流量はまだ十分に増大しておらずこの判定が満たされず（Ｓ５０：ＮＯ）、ステップＳ１２０に移行する。
【０１２１】
ステップＳ１２０では、ポンプ制御部４４０Ａは、前記沸上温度センサ２４により検出される前記沸上温度Ｔｂがこの時点の目標沸上温度Ｔｂｏとなるように、沸上ポンプ１９の回転数を制御する。その後、ステップＳ４０に戻って同様の手順を繰り返す。これにより、前記ポンプ流量が前記所定流量に達するまでは、ステップＳ４０→ステップＳ５０→ステップＳ１２０→ステップＳ４０→・・が繰り返されることで、前記沸上ポンプ１９の回転数は、前記沸上温度Ｔｂが前記目標沸上温度Ｔｂｏに一致するように制御されつつ増大し、ポンプ流量が徐々に増大する。
【０１２２】
そして、上記繰り返しにおいて前記ポンプ流量が前記所定流量に達するとステップＳ５０の判定が満たされ（Ｓ５０：ＹＥＳ）、ステップＳ６０へ移行する。
【０１２３】
ステップＳ６０では、前記ポンプ制御部４４０Ａが、この時点での目標沸上温度Ｔｂｏ（前記の例では４５℃）に対し、所定値△Ｔ（前記の例では３℃）を加える増大補正を行う。
【０１２４】
その後、ステップＳ７０で、前記ポンプ制御部４４０Ａは、前記ポンプ流量を一定に保つように前記沸上ポンプ１９の回転数を制御（一定値に固定）する。そして、ステップＳ８０で、前記ポンプ制御部４４０Ａは、前記フラグＦを、前記目標沸上温度Ｔｂｏの増大補正を行ったことを表すＦ＝１として前記ステップＳ４０に戻る。
【０１２５】
このようにして戻った前記ステップＳ４０では、前記ステップＳ８０においてＦ＝１とされていることから判定が満たされ（Ｓ４０：ＹＥＳ）、ステップＳ９０に移行する。
【０１２６】
ステップＳ９０では、ポンプ制御部４４０Ａは、前記沸上温度センサ２４により検出される前記沸上温度Ｔｂが、この時点での（すなわち前記増大補正後の）目標沸上温度Ｔｂｏから前記所定値△Ｔを減じた値、すなわち前記増大補正前の目標沸上温度Ｔｂｏまで低下したか否かを判定する。前記図１０の前記区間Ｌ４の例で前述したように前記冷房出力及び前記沸上出力の低下によって前記沸上温度Ｔｂが前記増大補正前の目標沸上温度Ｔｂｏ（前記の例では４５℃）まで低下するまではステップＳ９０の判定は満たされず（Ｓ９０：ＮＯ）ループ待機し、低下したらステップＳ９０の判定が満たされ（Ｓ９０：ＹＥＳ）、ステップＳ１００に移行する。
【０１２７】
ステップＳ１００では、ポンプ制御部４４０Ａは、この時点での前記目標沸上温度Ｔｂｏ（すなわち前記増大補正後の目標沸上温度Ｔｂｏ。前記の例では４８℃）から前記所定値△Ｔ（前記の例では３℃）を減じ、補正前の値に復帰させる。そして、ステップＳ１１０で、前記ポンプ制御部４４０Ａは、前記フラグＦを、前記増大補正前の状態に復帰したことに対応させてＦ＝０とし前記ステップＳ４０に戻り、以降、同様の手順を繰り返す。
【０１２８】
なお、前記において、図１１のフローのステップＳ４０、ステップＳ５０、ステップＳ１２０、ステップＳ６０、ステップＳ７０、ステップＳ８０、ステップＳ９０、ステップＳ１００、ステップＳ１１０を実行するポンプ制御部４４０Ａと、前記流量センサ２８（又は前記回転数センサ）とが、各請求項記載のポンプ制御手段として機能する。
【０１２９】
なお、前記ステップＳ５０にてポンプ流量が所定流量まで増大していると判定しても、貯湯温度センサ１２によって貯湯タンク２内に高温水がないことが検出された場合は、前記ステップＳ６０〜Ｓ８０を実行せずに、前記ステップ１２０へ移行するようにしても良い。
【０１３０】
＜実施形態の効果＞
以上説明したように、本実施形態においては、前記排熱利用給湯運転時において、前記ポンプ流量が前記所定流量に到達した後に冷房出力がさらに増大しても、それに対応する前記沸上出力の増大分を沸上温度Ｔｂの上昇で吸収することで、前記ポンプ流量については当該所定流量のまま一定に保つことができる。この結果、配管６ｄ，８ｄを介し貯湯タンク２内に戻る中温水の速度に一定の上限値を設けることができるので、貯湯タンク２内における、前記高温水の層と前記中温水の層との間の前記境界層が破壊されるのを防止することができる。
【０１３１】
また、本実施形態では特に、例えば前記補正後の目標沸上温度Ｔｂｏの値を適宜に設定する（言い替えれば前記所定値△Ｔの値を適宜に設定する）ことで、ポンプ制御部４４０Ａの制御により、前記冷房出力が増大することで前記沸上温度Ｔｂが増大していく期間（前記区間Ｌ２）、その後冷房出力が上げ止まって一定となり沸上温度Ｔｂが目標沸上温度Ｔｂｏに到達した状態で運転されている期間（前記区間Ｌ３）、その後冷房出力が減少することで沸上温度Ｔｂが減少していく期間（前記区間Ｌ４）の順で推移させ、それらの間、常にポンプ流量を略一定に保つことができる。
【０１３２】
また、本実施形態では特に、ポンプ制御部４４０Ａにより、前記沸上温度Ｔｂが前記増大補正前の目標沸上温度Ｔｂｏ（前記の例では４５℃）まで下がってきたらもとの制御に戻り、沸上ポンプ１９の回転数を減少させつつ、前記沸上温度Ｔｂがもとの（補正前の）前記目標沸上温度Ｔｂｏとなるように制御される。これにより、前記目標沸上温度Ｔｂｏの増大補正により低下していた前記冷房ＣＯＰを、元の所望の高い水準に復帰させることができる。
【０１３３】
また、本実施形態では特に、前記流量センサ２８（若しくは前記回転数センサ）により前記ポンプ流量が決定され、そのポンプ流量に基づいて、前記ポンプ制御部４４０Ａによって前述の処理が行われる。これにより、前記目標沸上温度Ｔｂｏの増大補正後においてポンプ流量を確実に一定に保つことができる。
【０１３４】
また、本実施形態では特に、前記流量センサ２８の検出結果、若しくは、前記回転数センサの検出結果、に基づき、前述のポンプ回転数の増大制御や前記流量一定化のための制御を精度よく行うことができる。
【０１３５】
また、本実施形態では特に、冷房運転を２つのモード（前記通常冷房運転での大気排熱冷房モード、前記排熱利用給湯運転での排熱利用冷房モード）で行うことができる。前記排熱利用給湯運転時には、前記したような、圧縮機１４吐出側→水冷媒熱交換器１５→室内熱交換器２７→圧縮機１４吸入側の経路での冷凍サイクルが実現される。その一方、前記通常冷房運転時には、前記圧縮機１４の吐出側に対し室外熱交換器１７の入口側を連通するとともに、前記圧縮機１４の吸入側に出口側が連通された前記室内熱交換器２７の入口側に対し、前記室外熱交換器１７の出口側を連通する。この場合、圧縮機１４から吐出された高温高圧の冷媒ガスが室外熱交換器１７（凝縮器として機能）で外気へ放熱し凝縮して液体冷媒となり、その後室内熱交換器２７（蒸発器として機能）で蒸発することで室内空気から吸熱して圧縮機１４へと戻る、通常の冷房運転を実現することができる。
【０１３６】
なお、図１０（ｃ）において区間Ｌ２，Ｌ３，Ｌ４において前記ポンプ制御部４４０Ａの制御によって前記沸上ポンプ１９のポンプ流量の上限を設定したのに代え、前記加熱循環回路４に公知の定流量弁（この場合の流量制限手段に相当）を設けることで前記ポンプ流量を前記所定流量に制限するようにしても良い。この場合、ポンプ制御部４４０Ａが前述のような目標沸上温度Ｔｂｏの補正を行わなくても（すなわち目標沸上温度Ｔｂｏが固定のままでも）、当該定流量弁の流量制限機能を利用して、前記区間Ｌ１に対応する前記回転数増大処理及び前記区間Ｌ２，Ｌ３，Ｌ４に対応する前記流量一定化処理を行うことができる。
【０１３７】
すなわち、前記回転数増大処理では、前記定流量弁が制限している状態の前記ポンプ流量が前記所定流量（前記の例に沿うと４リットル／ｍｉｎ）となるまでの間、ポンプ制御部４４０Ａが前記循環ポンプ１９の回転数を増大させ、前記流量一定化処理では、前記定流量弁の機能によって前記ポンプ流量が一定に保つように制御されるものである。
【０１３８】
なお、この場合、前記図１１のステップＳ１２０に相当する、ポンプ制御部４４０Ａによる「沸上温度Ｔｂが目標沸上温度Ｔｂｏとなるようにポンプ回転数を制御する」機能と、前記定流量弁とが、各請求項記載のポンプ制御手段として機能する。
【０１３９】
本変形例においても、ポンプ流量を確実に一定に保つことができるので、前記実施形態と同様、貯湯タンク２内に戻る中温水の速度に一定の上限値を設けることができ、貯湯タンク２内における前記境界層が破壊されるのを防止することができる。またこの変形例では特に、前記定流量弁の定流量吐出機能を利用することで、高い信頼性にて前記回転数増大処理及び前記流量一定化処理を精度よく行うことができる。
【０１４０】
なお、本発明は以上の態様に限定されることなく、その趣旨を変更しない範囲で適用可能なもので、例えば、前記二方弁１２１，１２２のうち少なくとも１つを、閉止機能付きの膨張弁で置き換えても良い。また、前記膨張弁１１１，１１３に代え、減圧器としてエジェクターを用いても良い。
【０１４１】
また、前記実施形態においては、前記排熱利用給湯運転において沸上温度よりも高温の湯を貯湯タンク２内へ沸き上げる高温熱源として、前記ヒートポンプユニット５００を用いた場合を例にとって説明したが、これに限られない。すなわち、例えば貯湯タンク２内に電熱ヒータを配置し、この電熱ヒータによって高温の湯を貯湯タンク２内へ沸き上げるようにしても良い。この場合も前述と同様の効果を得る。
【符号の説明】
【０１４２】
１                ヒートポンプ給湯機（冷房排熱貯湯装置）
２                貯湯タンク
６ｄ              配管（戻し管）
１２              貯湯温度センサ
１４              圧縮機
１５              水冷媒熱交換器
１５ａ            冷媒側の流路
１５ｂ            水側の流路
１７              室外熱交換器（ヒートポンプ熱交換器）
１９              沸上ポンプ（循環ポンプ）
２４              沸上温度センサ（沸上温度検出手段）
２７              室内熱交換器
２８              流量センサ（流量決定手段）
３０              冷媒循環回路
１０４              加熱循環回路（湯水循環回路）
１０５ａ            配管（湯水配管）
１０６ａ            配管（湯水配管）
４１０Ｂ          圧縮機制御部
４４０            熱交換制御部
４４０Ａ          ポンプ制御部
Ｔｂ          沸上温度（実沸上温度）
Ｔｂｏ        目標沸上温度
【図１】
2020063887.tif 000003
【図２】
2020063887.tif 000004
【図３】
2020063887.tif 000005
【図４】
2020063887.tif 000006
【図５】
2020063887.tif 000007
【図６】
2020063887.tif 000008
【図７】
2020063887.tif 000009
【図８】
2020063887.tif 000010
【図９】
2020063887.tif 000011
【図１０】
2020063887.tif 000012
【図１１】
2020063887.tif 000013